(57)【特許請求の範囲】
【請求項１】
周囲に立設された壁面に囲まれた洗い場床に洗浄水を吐水する浴室洗い場用吐水装置であって、
前記洗浄水を前記洗い場床上に吐水し、前記洗浄水を吐水する領域を変えるように位置が変動する吐水部と、
前記吐水部の前記位置の変動を制御する制御部と、
を備え、
前記制御部は、前記洗浄水が吐水される方向に沿った前記吐水部と前記壁面との間の距離が相対的に短いときの前記吐水部の位置変動範囲において前記吐水部から吐水される前記洗浄水の総量を、前記洗浄水が吐水される方向に沿った前記吐水部と前記壁面との間の距離が相対的に長いときの前記吐水部の位置変動範囲における前記総量よりも少なくする制御を実行し、
前記吐水部から吐水される前記洗浄水の瞬間流量は一定であり、
前記制御部は、前記洗浄水が吐水される方向に沿った前記吐水部から前記壁面までの距離に応じて、前記吐水部の平均回転速度を変化させることを特徴とする浴室洗い場用吐水装置。
【請求項２】
前記制御部は、前記吐水部が回転する状態と、前記吐水部が回転を停止する状態と、を切り替え、前記吐水部が停止する時間の長さを変化させることで、前記平均回転速度を変化させることを特徴とする請求項１に記載の浴室洗い場用吐水装置。
【請求項３】
前記制御部は、前記洗浄水が前記洗い場床の上流側に吐水される方向に沿った前記吐水部と前記壁面との間の距離が、前記洗浄水が前記洗い場床の下流側に吐水される方向に沿った前記吐水部と前記壁面との間の距離と同じである場合において、前記下流側に吐水される前記洗浄水の量を、前記上流側に吐水される前記洗浄水の量よりも少なくすることを特徴とする請求項１または２に記載の浴室洗い場用吐水装置。
【請求項４】
周囲に立設された壁面に囲まれた洗い場床に洗浄水を吐水する浴室洗い場用吐水装置であって、
前記洗浄水を前記洗い場床上に吐水し、前記洗浄水を吐水する領域を変えるように位置が変動する吐水部と、
前記吐水部の前記位置の変動を制御する制御部と、
を備え、
前記制御部は、前記洗浄水が吐水される方向に沿った前記吐水部と前記壁面との間の距離が相対的に短いときの前記吐水部の位置変動範囲において前記吐水部から吐水される前記洗浄水の総量を、前記洗浄水が吐水される方向に沿った前記吐水部と前記壁面との間の距離が相対的に長いときの前記吐水部の位置変動範囲における前記総量よりも少なくする制御を実行し、
前記制御部は、前記洗浄水が前記洗い場床の上流側に吐水される方向に沿った前記吐水部と前記壁面との間の距離が、前記洗浄水が前記洗い場床の下流側に吐水される方向に沿った前記吐水部と前記壁面との間の距離と同じである場合において、前記下流側に吐水される前記洗浄水の量を、前記上流側に吐水される前記洗浄水の量よりも少なくすることを特徴とする浴室洗い場用吐水装置。
【請求項５】
前記吐水部の最大吐水距離は、前記吐水部と前記壁面との間の最長距離よりも長く、
前記吐水部の前記位置の変動は、鉛直方向に延びる回転軸を中心とした回転であり、
前記吐水部の位置変動範囲は、回転角度の範囲であることを特徴とする請求項１〜４のいずれか１つに記載の浴室洗い場用吐水装置。
【請求項６】
水道水を変性して除菌水を生成する除菌水生成部をさらに備え、
前記制御部は、前記吐水部が水道水を前記洗い場床上に吐水する制御を実行した後に、前記除菌水生成部にて生成された前記除菌水を前記吐水部から前記洗い場床上に吐水する制御を実行することを特徴とする請求項１〜５のいずれか１つに記載の浴室洗い場用吐水装置。
【発明の詳細な説明】
【技術分野】
【０００１】
本発明の態様は、一般的に、浴室洗い場用吐水装置に関する。
【背景技術】
【０００２】
例えば、浴室の洗い場床には、人体の洗浄に使用された石鹸やシャンプーなどのかす、人体から発生したアカ（タンパク質系、炭水化物系、油脂系、塩類等）などの汚れが付着する。このような汚れを洗浄するための洗浄装置が提案されている。
【０００３】
特許文献１に開示された洗浄装置では、浴室のカウンタの下方に吐水可能な吐水部が設けられている。このような洗浄装置では、吐水部を回転させながら洗浄水を洗い場床上に吐水する。これにより、洗い場床の全体を洗浄することができる。
【先行技術文献】
【特許文献】
【０００４】
【特許文献１】特開２００８−１６８２３０号公報
【発明の概要】
【発明が解決しようとする課題】
【０００５】
しかし、洗浄水が吐水される方向に沿った吐水部から浴室の壁までの距離は、吐水部が回転した角度によって変化してしまう。このような状態において、全方向に同じように吐水を行うと、洗い場床上に過剰に洗浄水が吐水される領域が発生するおそれがある。このため、大量の洗浄水が必要となるおそれがある。
【０００６】
本発明は、かかる課題の認識に基づいてなされたものであり、少量の洗浄水で洗い場床全体を洗浄することができる浴室洗い場用吐水装置を提供することを目的とする。
【課題を解決するための手段】
【０００７】
第１の発明は、周囲に立設された壁面に囲まれた洗い場床に洗浄水を吐水する浴室洗い場用吐水装置であって、前記洗浄水を前記洗い場床上に吐水し、前記洗浄水を吐水する領域を変えるように位置が変動する吐水部と、前記吐水部の前記位置の変動を制御する制御部と、を備え、前記制御部は、前記洗浄水が吐水される方向に沿った前記吐水部と前記壁面との間の距離が相対的に短いときの前記吐水部の位置変動範囲において前記吐水部から吐水される前記洗浄水の総量を、前記洗浄水が吐水される方向に沿った前記吐水部と前記壁面との間の距離が相対的に長いときの前記吐水部の位置変動範囲における前記総量よりも少なくする制御を実行し、前記吐水部から吐水される前記洗浄水の瞬間流量は一定であり、前記制御部は、前記洗浄水が吐水される方向に沿った前記吐水部から前記壁面までの距離に応じて、前記吐水部の平均回転速度を変化させることを特徴とする浴室洗い場用吐水装置である。
【０００８】
この浴室洗い場用吐水装置によれば、吐水部から洗い場床に直接届く洗浄水だけでなく、壁面に当たってから洗い場床上を流れる洗浄水を利用して、洗浄をすることができる。洗浄水が吐水される方向に沿った吐水部から壁面までの距離が短いときには、壁面に当たってから洗い場床上を流れる洗浄水が比較的多いため、洗浄水の量を少なくしても洗浄効果を得ることができる。したがって、洗浄水が吐水される方向に沿った吐水部から前記壁面までの距離が短いときに、必要以上の洗浄水を吐水することが無く、洗い場床の全体に吐水される洗浄水の総量を少なくすることができる。また、この浴室洗い場用吐水装置によれば、平均回転速度の制御という簡易な制御によって、吐水される洗浄水の量を制御することができる。また、洗浄水が除菌水である場合には、吐水部から吐水される洗浄水の瞬間流量を一定とすることにより、除菌水の濃度を一定とすることができる。さらに、吐水部の平均回転速度を変化させることにより、除菌水の濃度を一定の状態として、洗い場床上の所定の範囲に吐出される洗浄水の総量を変化させることができる。
【０００９】
第２の発明は、第１の発明において、前記制御部は、前記吐水部が回転する状態と、前記吐水部が回転を停止する状態と、を切り替え、前記吐水部が停止する時間の長さを変化させることで、前記平均回転速度を変化させることを特徴とする浴室洗い場用吐水装置である。
【００１０】
この浴室洗い場用吐水装置によれば、吐水部が停止する時間の長さを変化させることにより、吐水部の平均回転速度を変化させることができる。これにより、吐水部の回転速度が速すぎることで、トルクが不足することを防止することができる。
【００１１】
第３の発明は、第１または第２の発明において、前記制御部は、前記洗浄水が前記洗い場床の上流側に吐水される方向に沿った前記吐水部と前記壁面との間の距離が、前記洗浄水が前記洗い場床の下流側に吐水される方向に沿った前記吐水部と前記壁面との間の距離と同じである場合において、前記下流側に吐水される前記洗浄水の量を、前記上流側に吐水される前記洗浄水の量よりも少なくすることを特徴とする浴室洗い場用吐水装置である。
【００１２】
この浴室洗い場用吐水装置によれば、洗い場床の上流側に吐出される洗浄水の量を、洗い場床の下流側に吐水される洗浄水の量よりも少なくすることで、洗い場床の全体を洗浄するために必要な洗浄水の総量を少なくすることができる。洗い場床の上流側に吐水された洗浄水は、洗い場床の下流側に流れる。このため、洗い場床の上流側に吐出された洗浄水を利用して、洗い場床の下流側も洗浄することが可能である。これにより、洗い場床の下流側に吐水される洗浄水の量を少なくしても、洗い場床の全体を洗浄することができる。
【００１３】
第４の発明は、周囲に立設された壁面に囲まれた洗い場床に洗浄水を吐水する浴室洗い場用吐水装置であって、前記洗浄水を前記洗い場床上に吐水し、前記洗浄水を吐水する領域を変えるように位置が変動する吐水部と、前記吐水部の前記位置の変動を制御する制御部と、を備え、前記制御部は、前記洗浄水が吐水される方向に沿った前記吐水部と前記壁面との間の距離が相対的に短いときの前記吐水部の位置変動範囲において前記吐水部から吐水される前記洗浄水の総量を、前記洗浄水が吐水される方向に沿った前記吐水部と前記壁面との間の距離が相対的に長いときの前記吐水部の位置変動範囲における前記総量よりも少なくする制御を実行し、前記制御部は、前記洗浄水が前記洗い場床の上流側に吐水される方向に沿った前記吐水部と前記壁面との間の距離が、前記洗浄水が前記洗い場床の下流側に吐水される方向に沿った前記吐水部と前記壁面との間の距離と同じである場合において、前記下流側に吐水される前記洗浄水の量を、前記上流側に吐水される前記洗浄水の量よりも少なくすることを特徴とする浴室洗い場用吐水装置である。
【００１４】
この浴室洗い場用吐水装置によれば、吐水部から洗い場床に直接届く洗浄水だけでなく、壁面に当たってから洗い場床上を流れる洗浄水を利用して、洗浄をすることができる。洗浄水が吐水される方向に沿った吐水部から壁面までの距離が短いときには、壁面に当たってから洗い場床上を流れる洗浄水が比較的多いため、洗浄水の量を少なくしても洗浄効果を得ることができる。したがって、洗浄水が吐水される方向に沿った吐水部から前記壁面までの距離が短いときに、必要以上の洗浄水を吐水することが無く、洗い場床の全体に吐水される洗浄水の総量を少なくすることができる。また、この浴室洗い場用吐水装置によれば、洗い場床の上流側に吐出される洗浄水の量を、洗い場床の下流側に吐水される洗浄水の量よりも少なくすることで、洗い場床の全体を洗浄するために必要な洗浄水の総量を少なくすることができる。洗い場床の上流側に吐水された洗浄水は、洗い場床の下流側に流れる。このため、洗い場床の上流側に吐出された洗浄水を利用して、洗い場床の下流側も洗浄することが可能である。これにより、洗い場床の下流側に吐水される洗浄水の量を少なくしても、洗い場床の全体を洗浄することができる。
【００１５】
第５の発明は、第１〜第４のいずれか１つの発明において、前記吐水部の最大吐水距離は、前記吐水部と前記壁面との間の最長距離よりも長く、前記吐水部の前記位置の変動は、鉛直方向に延びる回転軸を中心とした回転であり、前記吐水部の位置変動範囲は、回転角度の範囲であることを特徴とする浴室洗い場用吐水装置である。
【００１６】
この浴室洗い場用吐水装置によれば、吐水部の最大吐水距離は、吐水部と壁面との間の最長距離よりも長いため、洗い場床の全体に洗浄水を吐水することができる。したがって、洗い場床の全体を洗浄することができる。また、洗い場床の全体に吐水される洗浄水の総量を少なくすることを、構造及び制御が簡単な吐水部の回転変動で実現することができる。
【００１７】
第６の発明は、第１〜第５のいずれか１つ発明において、水道水を変性して除菌水を生成する除菌水生成部をさらに備え、前記制御部は、前記吐水部が水道水を前記洗い場床上に吐水する制御を実行した後に、前記除菌水生成部にて生成された前記除菌水を前記吐水部から前記洗い場床上に吐水する制御を実行することを特徴とする浴室洗い場用吐水装置である。
【００１８】
この浴室洗い場用吐水装置によれば、洗い場床上を水道水で洗浄した後に、除菌水で洗い場床上を除菌するので、除菌水を効果的に利用することができる。
【発明の効果】
【００１９】
本発明の態様によれば、少量の洗浄水で洗い場床全体を洗浄することができる浴室洗い場用吐水装置が提供される。
【図面の簡単な説明】
【００２０】
【図１】本発明の実施の形態に係る浴室洗い場用吐水装置を例示する模式図である。
【図２】本実施形態に係る浴室洗い場用吐水装置が設置された浴室を表す模式的斜視図である。
【図３】本実施形態に係る吐水部を例示する平面図及び断面図である。
【図４】本実施形態に係る吐水部を例示する斜視図及び平面図である。
【図５】本実施形態に係る吐水装置の動作を例示する平面図である。
【図６】実施形態に係る別の吐水装置の吐水動作を例示する平面図である。
【図７】本実施形態の吐水部を例示する模式図である。
【図８】本実施形態の吐水部から除菌水が吐水された状態を例示する模式的側面図である。
【図９】本実施形態の吐水部の回転を説明する模式図である。
【図１０】本実施形態に係る吐水装置の動作を例示するフローチャートである。
【図１１】本実施形態の吐水部の動作を例示する模式的平面図である。
【図１２】本実施形態における原点出しを説明する模式的平面図である。
【図１３】本実施形態における吐水装置の動作を説明するタイムチャートである。
【図１４】本実施形態の吐水部の動作を例示する模式的平面図である。
【図１５】本実施形態の吐水部の動作を説明する模式的平面図である。
【図１６】本実施形態における吐水装置の動作を例示するフローチャートである。
【図１７】本実施形態における吐水装置の動作を説明するタイムチャートである。
【図１８】本発明の他の実施の形態に係る吐水装置を例示する模式的平面図である。
【発明を実施するための形態】
【００２１】
以下、本発明の実施の形態について図面を参照しつつ説明する。なお、各図面中、同様の構成要素には同一の符号を付して詳細な説明は適宜省略する。
【００２２】
図１は、本発明の実施の形態に係る浴室洗い場用吐水装置を例示する模式図である。  
図１に表したように、本発明の実施の形態に係る浴室洗い場用吐水装置（以下、説明の便宜上、単に「吐水装置」と称する）１００は、吐水部１０ａと、制御部３０と、を備える。吐水装置１００は、浴室に設置され、浴室の洗い場床を洗浄する装置である。
【００２３】
まず、吐水装置１００が設置される浴室の例について説明する。  
図２（ａ）および図２（ｂ）は、本実施形態に係る浴室洗い場用吐水装置が設置された浴室を表す模式的斜視図である。  
図２（ａ）に表したように、吐水装置１００が設置される浴室５００には、第１〜第４の壁５４１〜５４４、浴槽５１０、洗い場床５２０およびカウンタ５３０が設けられている。さらに、浴室５００には、鏡、給水栓、シャワーホースなどが適宜設けられている。図２（ｂ）は、カウンタ５３０の近傍を拡大した模式的斜視図である。
【００２４】
浴室５００は、第１〜第４の壁５４１〜５４４を有する。第２の壁５４２は、第１の壁５４１と対向する壁である。第４の壁５４４は、第３の壁５４３と対向する壁である。第１の壁５４１と第２の壁５４２とは、それぞれ、第３の壁５４３および第４の壁５４４と接続されている。
【００２５】
浴槽５１０は、洗い場床５２０からみて第４の壁５４４側に設けられている。例えば、浴槽５１０は、第４の壁５４４と接するように配置される。
【００２６】
洗い場床５２０は、浴槽５１０と第３の壁５４３との間に設けられている。例えば、洗い場床５２０は、第１〜第３の壁５４１〜５４３と接する。
【００２７】
洗い場床５２０は、周囲に立設された壁面５４０に囲まれている。ここで「壁面」とは、第１〜第４の壁５４１〜５４４だけでなく、浴槽５１０の側面も含む。この例では、洗い場床５２０を囲む壁面５４０は、第１〜第３の壁５４１〜５４３および浴槽５１０の側面である。なお、第１〜第４の壁５４１〜５４４は、浴室のドアなどを含んでいてもよい。
【００２８】
本願明細書において、第２の壁５４２から第１の壁５４１へ向かう方向を「前方」とし、これと反対の方向を「後方」とする。また、前後方向および上下方向に対して垂直な方向を横方向とする。
【００２９】
洗い場床５２０には、排水口５２１が設けられている。排水口５２１は、洗い場床５２０の前後方向における中央付近であって、洗い場床５２０の浴槽５１０側の端に設けられている。洗い場床５２０には、排水口５２１へ向かう緩やかな傾斜が設けられている。
【００３０】
カウンタ５３０、鏡、給水栓およびシャワーホースは、第２の壁５４２に取り付けられている。カウンタ５３０は、カウンタ本体と、支持材５３３（図９を参照）と、を有する。カウンタ本体は、例えば、天板５３１と下カバー５３２とを有する。
【００３１】
カウンタ５３０は、洗い場床５２０から上方に離間して配置されている。支持材５３３が第２の壁５４２に取り付けられ、カウンタ本体は、この支持材に取り付けられている。カウンタ５３０は、上方から見たときに、横方向に長い略矩形状の形状を有する。カウンタ５３０の横方向における幅は、洗い場床５２０の横方向における幅と同等である。
【００３２】
吐水部１０ａは、カウンタ５３０の下部に設けられている。吐水部１０ａは、洗い場床５２０から離間した位置に配置されている。吐水部１０ａは、例えば、カウンタ５３０の横方向における中央付近に設置されている。すなわち、吐水部１０ａは、洗い場床５２０の横方向における中央付近に設置されている。これにより、洗浄水を洗い場床５２０の全体に吐水しやすくなる。
【００３３】
図１は、吐水装置１００が設置されたカウンタ５３０の近傍を側方から見た様子を表している。例えば、吐水部１０ａは、下カバー５３２から下方に突出するように設けられる。
【００３４】
浴室５００の外部（例えば第２の壁５４２の後方）には、給水管５１と、給湯管５２と、が設けられている。給水管５１は、図示しない水道管と接続されている。給水管５１から水道水が吐水装置１００に供給される。
【００３５】
カウンタ５３０の内部（天板５３１と下カバー５３２との間）には、ストレーナ５３ａと、電磁弁５４ａと、電磁弁５４ｂと、調圧弁５５と、バキュームブレーカ５７と、逆止弁５６と、除菌水生成部２０と、ストレーナ５３ｂと、制御部３０と、が設けられている。ストレーナ５３ａは、給水管５１と接続されている。ストレーナ５３ａの下流において、水道水の流路は２つに分岐している。  
ストレーナ５３ａの下流の一方の流路においては、上流側から順に、電磁弁５４ｂ、調圧弁５５、バキュームブレーカ５７、逆止弁５６、除菌水生成部２０、ストレーナ５３ｂが接続されている。
【００３６】
なお、実施形態においては、ストレーナ５３ａ、５３ｂ、電磁弁５４ａ、５４ｂ、調圧弁５５、バキュームブレーカ５７、逆止弁５６、除菌水生成部２０および制御部３０の少なくとも一部が、カウンタ５３０の外部または浴室５００の外部に設けられていてもよい。例えば、図２（ａ）に表したように、制御部３０を浴室５００の外部に設けてもよい。
【００３７】
電磁弁５４ｂの開閉によって、下流側への水道水の供給が制御される。電磁弁５４ｂは、水道水の流路を開く動作、または、水道水の流路を閉じる動作を行う。
【００３８】
調圧弁５５は、供給された水道水の圧力を制御する。これにより、除菌水生成部２０に供給される水道水の流量を調整することができる。除菌水生成部２０に供給される水道水の流量を調整することで、吐水部１０ａに供給される除菌水の流量が調整される。なお、電磁弁５４ｂを用いて、流量を調整してもよい。
【００３９】
除菌水生成部２０は、陽極と陰極とを有する電解槽である。除菌水生成部２０は、陽極と陰極との間に電圧を印加して、陽極と陰極との間を流れる水道水を電気分解する。これにより、除菌水生成部２０は、水道水を変性して除菌水を生成する。
【００４０】
除菌水は、例えば、次亜塩素酸を含む水である。水道水は、塩化物イオンを含んでいるため、その塩化物イオンを電気分解することによって、次亜塩素酸が生成される。その結果、電気分解された水は、次亜塩素酸を含む液に変化する。
【００４１】
除菌水は、金属イオン水（例えば、銀イオン、銅イオンまたは亜鉛イオンなどの金属イオンを含む水）またはオゾンを含む水であってもよい。例えば、水道水が電気分解される際、陰極においては酸（Ｈ＋）が消費され、陰極の近傍ではｐＨが上昇する。すなわち、陰極の近傍では、アルカリ水が生成される。一方、陽極においてはアルカリ（ＯＨ−）が消費され、陽極の近傍ではｐＨが下降する。すなわち、陽極の近傍では、酸性水が生成される。除菌水生成部２０における流量を変化させることで、除菌水に含まれる成分の濃度を制御することができる。なお、除菌水生成部２０は、電解槽に限定されるわけではない。例えば、除菌水は、除菌剤を水道水に溶解させて生成された除菌水であってもよい。
【００４２】
除菌水生成部２０において生成された除菌水は、吐水部１０ａに供給される。  
一方、ストレーナ５３ａの下流の他方の流路は、電磁弁５４ａを介して吐水部１０ａに接続されている。電磁弁５４ａを開くことで、吐水部１０ａへ水道水が供給される。  
吐水部１０ａに供給された洗浄水（除菌水及び水道水）は、吐水部１０ａから洗い場床５２０上に吐水される。これにより、洗い場床５２０を洗浄することができる。  
なお、実施形態において電磁弁５４ｂから吐水部１０ａまでの流路は必ずしも設けられなくてもよいし、吐水時に作動しなくてもよい。吐水部１０ａが吐水する洗浄水は、除菌水であってもよいし、水道水（温水を含む）であってもよい。
【００４３】
吐水部１０ａの位置は、洗浄水を吐水する洗い場床５２０上の領域を変えるように変動することができる。本願明細書において、吐水部１０ａの位置の変動とは、吐水部１０ａの回転及び並進の少なくともいずれかである。また、吐水部１０ａの位置の変動とは、吐水部１０ａの一部が固定されており、別の一部が回転又は並進する場合も含む。  
この例では、吐水部１０ａは、例えばモータ１７を有する。モータ１７は、例えばステッピングモータである。後述するように、モータ１７によって吐水部１０ａを回転させて、洗浄水が吐水される方向を変化させることができる。
【００４４】
制御部３０は、電磁弁５４ａ、５４ｂ、除菌水生成部２０および吐水部１０ａ（モータ１７）と接続されている。制御部３０は、電磁弁５４ａ、５４ｂ、除菌水生成部２０および吐水部１０ａの動作を制御することで、洗浄水が吐水される形態（吐水方法、撒き方）を制御することができる。
【００４５】
例えば、電磁弁５４ａ、５４ｂは、制御部３０からの信号に基づいて、水道水の流路の開閉を行う。これにより、下流側に供給される水道水の流量が制御される。また、除菌水生成部２０は、制御部３０からの信号に基づいて、電解槽のＯＮ／ＯＦＦを切り替える。吐水部１０ａは、制御部３０からの信号に基づいて、回転角度や回転速度を変化させる。このようにして制御部３０は、除菌水の濃度、吐水される洗浄水の瞬間流量（単位時間当たりの流量）、吐水される洗浄水の総量、および、洗浄水の吐水方向などの吐水方法を制御することができる。
【００４６】
図２（ａ）に表したように、制御部３０と接続された操作部３５が、浴室５００の内側または浴室５００の外側に設けられる。吐水装置１００の使用者は、この操作部３５を用いることにより、吐水装置の動作を操作することができる。
【００４７】
洗い場床５２０の汚れ易さや洗浄水の流れ易さは、洗い場床５２０の部位によって異なることがある。そこで、制御部３０は、吐水部１０ａが回転した角度（洗浄水が吐水される方向）に応じて、洗浄水の吐水方法を変化させる。これにより、洗い場床の部位に応じて最適な吐水を行うことができる。これにより、より少ない量の洗浄水で効率的に洗い場床を洗浄することができる。
【００４８】
図３（ａ）は、本実施形態の吐水部を例示する平面図である。図３（ｂ）は、図３（ａ）に示すＡ−Ａ線における断面図である。  
吐水部１０ａは、第１の貯水部１４ａと、第２の貯水部１４ｂと、第１の吐水口１１ａと、第２の吐水口１２ａと、を有する。第１の吐水口１１ａは、第１の貯水部１４ａの内部と外部とを繋ぐ孔である。また、第２の吐水口１２ａは、第２の貯水部１４ｂの内部と外部とを繋ぐ孔である。電磁弁５４ａを通過した水道水は、第１の貯水部１４ａ内に供給され、第１の吐水口１１ａから吐水される。除菌水生成部２０によって生成された除菌水は、第２の貯水部１４ｂ内に供給され、第２の吐水口１２ａから吐水される。
【００４９】
図４（ａ）は、第２の吐水口１２ａから洗浄水として除菌水が吐水される様子を表す斜視図であり、図４（ｂ）は、第１の吐水口１１ａから洗浄水として水道水が吐水される様子を表す斜視図である。
【００５０】
図４（ｃ）、図４（ｄ）は、それぞれ、図４（ａ）、図４（ｂ）に示した状態を、図中のＸ方向に沿って見た平面図である。このように、洗浄水は、Ｘ方向に対して垂直なＺ方向に広がる扇状又は三角形状となって、第１の吐水口１１ａ及び第２の吐水口１２ａのそれぞれから吐水される。
【００５１】
図４（ｅ）、図４（ｆ）は、それぞれ、図４（ａ）、図４（ｂ）に示した状態をＺ方向に沿って見た平面図である。Ｚ方向に沿って見たときの吐水された洗浄水の広がりは、Ｘ方向に沿って見たとき吐水された洗浄水の広がりよりも狭い。例えば、第１の吐水口１１ａ及び第２の吐水口１２ａは、それぞれ、Ｚ方向に沿って見たときに洗浄水をライン状に吐水する。第１の吐水口１１ａ及び第２の吐水口１２ａの形状によって、吐水された洗浄水の広がり方を調整できる。
【００５２】
また、吐水部１０ａは、Ｚ方向に延びる軸１０ｘを有する。この例では、吐水部１０ａは、軸１０ｘが鉛直方向（上下方向）と略平行になるように配置されている。吐水部１０ａは、モータ１７の駆動力を受けて、軸１０ｘを中心として回転することができる。吐水部１０ａは、軸１０ｘと交差する方向に洗浄水を吐水するため、吐水部１０ａの回転によって洗浄水を吐水する領域を変えることができる。吐水部１０ａの位置の変動に回転を用いることで、吐水部１０ａの構造や制御を簡単なものとすることができる。また、上方から見たときに、吐水部１０ａの最大吐水距離は、吐水部１０ａと壁面５４０との間の最長距離よりも長い。
【００５３】
なお、本願明細書において「吐水方向」とは、軸１０ｘに沿って見たときに、洗浄水が吐水される方向をいうものとする。すなわち、この例では、「吐水方向」は、上方から見たときに洗浄水が吐水される方向である。上方から見たとき、洗浄水が複数の方向に広がって吐水される場合には、複数の方向の中央を「吐水方向」とすることができる。あるいは、上から見たときに、吐水口１１ａ、１２ａを中心に扇状または三角形状に広がって洗浄水が吐水される場合、その扇状または三角形状の範囲を概略二等分する方向を「吐水方向」とすることができる。
【００５４】
次に、図５を参照して、吐水装置１００の吐水動作の例を説明する。  
図５は、本実施形態に係る吐水装置の動作を例示する平面図である。  
この例では、吐水部１０ａは、水道水を吐水する。制御部３０は、吐水部１０ａの位置の変動（回転）を制御する。吐水部１０ａが動く範囲は、複数の範囲（位置変動範囲）に分割され、各位置変動範囲に対して、適した吐水が行われる。
【００５５】
例えば、吐水部１０ａは、軸１０ｘを中心として３００°〜３６０°程度の範囲で回転することができる。吐水部１０ａの位置変動が回転である場合、吐水部１０ａの位置変動範囲は、軸１０ｘを中心とした回転角度の範囲によって定められる。例えば、吐水部１０ａが動く範囲は、図５に表したように範囲Ｄｅ１〜Ｄｅ４（位置変動範囲）を含む。
【００５６】
吐水部１０ａは、範囲Ｄｅ１において、洗い場床５２０上の領域Ｒｅ１に洗浄水（水道水）を吐水する。すなわち、吐水部１０ａの回転角度が範囲Ｄｅ１内であるとき、吐水部１０ａは、矢印の方向に回転しながら領域Ｒｅ１上に吐水する。領域Ｒｅ１は、洗い場床５２０のうち第３の壁５４３と隣接する部分を含む領域である。
【００５７】
その後、吐水部１０ａは、範囲Ｄｅ２において、矢印の方向に回転しながら領域Ｒｅ２上に吐水する。領域Ｒｅ２は、洗い場床５２０のうち第１の壁５４１と隣接する部分を含む領域である。  
同様に、その後、吐水部１０ａは、範囲Ｄｅ３において領域Ｒｅ３上に吐水し、次いで、範囲Ｄｅ４において領域Ｒｅ４上に吐水する。領域Ｒｅ３及びＲｅ４は、洗い場床５２０のうち浴槽５１０と隣接す部分を含む領域である。領域Ｒｅ３は、領域Ｒｅ４よりも第１の壁５４１側に位置する。
【００５８】
図５に表した平面図において、範囲Ｄｅ２における吐水方向に沿った吐水部１０ａから壁面までの距離（例えば距離Ｌｂ）は、範囲Ｄｅ１における吐水方向に沿った吐水部１０ａから壁面までの距離（例えば距離Ｌａ）よりも長い。領域Ｒｅ２は、領域Ｒｅ１に比べて、吐水部１０ａから遠い部分をより多く含み、領域Ｒｅ１よりも広い。
【００５９】
この場合、制御部３０は、範囲Ｄｅ２における総吐水量が、範囲Ｄｅ１における総吐水量よりも多くなるように、吐水部１０ａを制御する。例えば、吐水部１０ａの単位時間当たりの吐水量を一定とし、範囲Ｄｅ２における吐水部１０ａの平均回転速度（°／秒）を、範囲Ｄｅ１における吐水部１０ａの平均回転速度よりも低くする。平均回転速度の制御という簡易な制御によって、洗い場床５２０上の領域ごとに、吐水される洗浄水の量を制御することができる。
【００６０】
洗浄の際には、吐水部１０ａから洗い場床５２０に直接届く洗浄水だけでなく、壁面に当たってから洗い場床５２０上を流れる洗浄水も利用することができる。吐水部１０ａが範囲Ｄｅ１において吐水する場合は、範囲Ｄｅ２において吐水する場合に比べて吐水方向に沿った壁面までの距離が短いため、壁面に当たってから洗い場床５２０上を流れる洗浄水の量が比較的多い。そこで、上記のように、範囲Ｄｅ１における吐水部１０ａの吐水量を、範囲Ｄｅ２における吐水部１０ａの吐水量よりも少なくしても、領域Ｒｅ１上を流れる洗浄水の量を確保できる。したがって、吐水部１０ａの範囲Ｄｅ１における総吐水量を比較的少なくしても、領域Ｒｅ１の洗浄を行うことができる。
【００６１】
また、吐水部１０ａの回転角度が範囲Ｄｅ４内であるときは、吐水方向に沿った吐水部１０ａから壁面までの距離が比較的短い。そこで、範囲Ｄｅ４における吐水部１０ａの平均回転速度を高速とし、範囲Ｄｅ４における総吐水量を小とする。同様に、吐水方向に沿った壁面までの距離に応じて、範囲Ｄｅ３における吐水部１０ａの平均回転速度を中速とし、範囲Ｄｅ３における総吐水量を中とする。
【００６２】
以上説明したように、吐水部１０ａの位置変動範囲に応じて吐水形態を変化させることで、吐水部１０ａが必要以上の洗浄水を吐水することを抑制し、洗い場床５２０の全体に吐水される洗浄水の総量を少なくすることができる。
【００６３】
また、洗浄水が水道水の場合には、洗い場床５２０の排水勾配の上流側から吐水を行うことが望ましい。例えば、上記のように、上流に位置する領域Ｒｅ１に吐水を行った後、下流に位置する領域Ｒｅ２に吐水を行う。また、吐水部１０ａの各位置変動範囲内においても、図中の矢印で示した方向に吐水部１０ａを回転させながら吐水を行うことで、上流側に洗浄水が先に吐水される。例えば、範囲Ｄｅ４における吐水部１０ａの回転方向は、範囲Ｄｅ１における吐水部１０ａの回転方向と逆である。以上により、洗い場床５２０上には、上流から下流に向かう洗浄水の流れが形成され、汚れを排水口５２１へ洗い流すことができる。
【００６４】
また、この例では、洗浄水を下流側の領域Ｒｅ２へ吐水するときには、吐水部１０ａの平均回転速度を比較的低くしている。これにより、領域Ｒｅ２では、上流側の領域Ｒｅ１から洗浄水が流れてきた後に、吐水部１０ａから直接洗浄水が届く。つまり、吐水部１０ａから領域Ｒｅ２に直接届く洗浄水が、上流側の領域Ｒｅ１から流れてくる洗浄水とぶつかることを抑制することができる。したがって、洗い場床５２０上の洗浄水の流れが妨げられることを抑制し、洗い場床５２０上の汚れをスムーズに排水口５２１へ流すことができる。
【００６５】
図６（ａ）及び図６（ｂ）は、本実施形態に係る別の吐水装置の吐水動作を例示する平面図である。この例は、吐水部１０ａの配置及び位置変動の点で、図１〜図５に関して説明した例と異なる。この例でも、吐水部１０ａは、洗浄水として水道水を吐水する。  
図６（ａ）は、洗い場床５２０を上方から眺めた様子を表す。  
図６（ｂ）は、図６（ａ）に示す矢印ＡＡの方向に沿って、洗い場床５２０及び吐水部１０ａを側方から眺めた様子を表す。
【００６６】
図６（ａ）に表したように、この例では、吐水部１０ａは、第２の壁５４２及び第３の壁５４３と近接した位置に設けられている。また、第１及び第２の吐水口１１ａ、１２ａは、図５の場合と比較して、９０°回転して配置されている。すなわち、吐水部１０ａから吐水された洗浄水（Ｗ）は、図６（ａ）のように上方から見たときには扇状又は三角形状に広がり、図６（ｂ）のように側方から見たときには斜め下方に延びるライン状である。
【００６７】
また、この例では、図６（ｂ）に表したように、吐水部１０ａは、軸１０ｘが略水平方向に延びるように配置されている。吐水部１０ａは、モータ等によって軸１０ｘを中心に回転して、洗い場床５２０上の洗浄水を吐水する領域を変えることができる。吐水部１０ａの動く範囲は、軸１０ｘを中心とした回転角度の範囲Ｄｇ１〜Ｄｇ３を含む。
【００６８】
吐水部１０ａは、範囲Ｄｇ１において、洗い場床５２０の領域Ｒｇ１上に洗浄水を吐水する。すなわち、吐水部１０ａの回転角度が範囲Ｄｇ１内であるとき、吐水部１０ａは、矢印の方向に回転しながら領域Ｒｇ１上に吐水する。
【００６９】
その後、吐水部１０ａは、範囲Ｄｇ２において、矢印の方向に回転しながら領域Ｒｇ２上に洗浄水を吐水する。その後、吐水部１０ａは、範囲Ｄｇ３において、矢印の方向に回転しながら領域Ｒｇ３上に洗浄水を吐水する。
【００７０】
領域Ｒｇ２は、領域Ｒｇ１に比べて、吐水部１０ａから遠く、領域Ｒｇ１よりも広い。領域Ｒｇ１と領域Ｒｇ２との境界は、例えば、吐水部１０ａから排水口５２１までの距離を略二等分するように定められる。また、領域Ｒｇ３は、領域Ｒｇ２に比べて、吐水部１０ａから遠い。領域Ｒｇ２と領域Ｒｇ３との境界は、例えば、排水口５２１を通るように定められる。
【００７１】
制御部３０は、範囲Ｄｇ２における総吐水量が、範囲Ｄｇ１における総吐水量よりも多くなるように、吐水部１０ａを制御する。例えば、吐水部１０ａの単位時間当たりの吐水量を一定とし、範囲Ｄｇ２における吐水部１０ａの平均回転速度を、範囲Ｄｇ１における吐水部１０ａの平均回転速度よりも低くする。これにより、比較的狭い領域Ｒｇ１に吐水される洗浄水の量を少なくし、比較的広い領域Ｒｇ２に吐水される洗浄水の量を多くすることができる。
【００７２】
以上により、吐水部１０ａが必要以上の洗浄水を吐水することを抑制し、洗い場床５２０の全体に吐水される洗浄水の総量を少なくすることができる。
【００７３】
また、制御部３０は、範囲Ｄｇ３における総吐水量が、範囲Ｄｇ２における総吐水量よりも多くなるように、吐水部１０ａを制御する。例えば、吐水部１０ａの単位時間当たりの吐水量を一定とし、範囲Ｄｇ３における吐水部１０ａの平均回転速度を、範囲Ｄｇ２における吐水部１０ａの平均回転速度よりも低くする。
【００７４】
また、前述した通り、洗浄水が水道水の場合には、洗い場床５２０の排水勾配の上流側から吐水を行うことが望ましい。例えば、排水口５２１から比較的遠い領域Ｒｇ１に吐水を行った後、排水口５２１から比較的近い領域Ｒｇ２に吐水を行う。これにより、洗い場床５２０上に洗浄水の流れが形成され、汚れを排水口５２１へ洗い流すことができる。  
また、制御部３０は、各回転角度の範囲内においても、範囲Ｄｇ１〜Ｄｇ３を示す矢印の方向に吐水部１０ａを回転させる。つまり、排水口５２１から遠い部分（排水勾配の上流側）から吐水を行う。例えば、範囲Ｄｇ３における吐水部１０ａの回転方向（位置の変動方向）は、範囲Ｄｇ２における吐水部１０ａの回転方向と逆である。これにより、汚れを洗い場床５２０の端に追いやらずに、スムーズに排水口５２１へ送り出すことができる。
【００７５】
さらに、吐水部１０ａから遠い領域（排水勾配５２１に近い領域）に吐水するときに、吐水部１０ａの変動速度（平均回転速度）を低くすることで、上流からの洗浄水の流れが妨げられることを抑制し、汚れをスムーズに排水口５２１へ流すことができる。
【００７６】
上記の例では、吐水部１０ａの位置変動は回転であったが、実施形態は、これに限定されない。例えば、図６（ｃ）に表したように吐水部１０ａの位置変動は、並進であってもよい。図６（ｃ）は、図６（ｂ）と同様に、洗い場床５２０及び吐水部１０ａを側方から眺めた様子を表す。この例では、図６（ｂ）と同様の吐水部１０ａが、回転ではなく、図示しないレールやモータなどによって上下方向に並進する。  
これにより、洗い場床５２０上の洗浄水を吐水する領域を変えることができる。なお、上下方向の変動や回転を適宜組み合わせてもよい。  
吐水部１０ａの位置の変動が上下方向の並進の場合、吐水部１０ａの位置変動範囲は、吐水部１０の高さの範囲によって定められる。例えば、吐水部１０ａが動く範囲は、図６（ｃ）のように範囲Ｄｈ１〜Ｄｈ３を含む。
【００７７】
吐水部１０ａは、範囲Ｄｈ１において、洗い場床５２０の領域Ｒｇ１上に洗浄水を吐水する。すなわち、吐水部１０ａの高さが範囲Ｄｈ１内であるとき、吐水部１０ａは、上方に移動しながら領域Ｒｇ１上に吐水する。
【００７８】
その後、吐水部１０ａは、範囲Ｄｈ２において、上方に移動しながら領域Ｒｇ２上に洗浄水を吐水する。その後、吐水部１０ａは、範囲Ｄｈ３において、下方に移動しながら領域Ｒｇ３上に洗浄水を吐水する。
【００７９】
この場合、制御部３０は、範囲Ｄｈ２における総吐水量が、範囲Ｄｈ１における総吐水量よりも多くなるように、吐水部１０ａを制御する。例えば、吐水部１０ａの単位時間当たりの吐水量を一定とし、範囲Ｄｈ２における吐水部１０ａの平均移動速度（メートル／秒）を、範囲Ｄｈ１における吐水部１０ａの平均移動速度よりも低くする。これにより、比較的狭い領域Ｒｇ１に吐水される洗浄水の量を少なくし、比較的広い領域Ｒｇ２に吐水される洗浄水の量を多くすることができる。
【００８０】
同様に、制御部３０は、範囲Ｄｈ３における総吐水量が、範囲Ｄｈ２における総吐水量よりも多くなるように、吐水部１０ａを制御する。例えば、吐水部１０ａの単位時間当たりの吐水量を一定とし、範囲Ｄｈ３における吐水部１０ａの平均移動速度を、範囲Ｄｈ２における吐水部１０ａの平均移動速度よりも低くする。
【００８１】
以上により、吐水部１０ａが必要以上の洗浄水を吐水することを抑制し、洗い場床５２０の全体に吐水される洗浄水の総量を少なくすることができる。また、洗い場床５２０上の汚れをスムーズに排水口５２１へ流すことができる。
【００８２】
次に、洗浄水として除菌水を吐水する場合について説明する。  
以下の例では、上述の吐水部１０ａの代わりに、図７〜図９に表す吐水部１０を用いる。これ以外の吐水装置の構成については、図１〜図５に関する説明と同様である。  
吐水部１０は、略鉛直方向に延在する回転軸を有し、図１〜図５に関する吐水部１０ａの説明と同様に、例えばカウンタ５３０の横方向における中央付近に設置される。なお、以下の例においても、吐水部１０は、除菌水の代わりに水道水を吐水してもよい。
【００８３】
図７（ａ）および図７（ｂ）は、本実施形態の吐水部を例示する模式図である。図７（ａ）は、吐水部１０の模式的斜視図である。図７（ｂ）は、図７（ａ）に示したＡ−Ａ’切断面における模式的断面図である。
【００８４】
図７（ａ）および図７（ｂ）に表したように、吐水部１０は、第１の吐水口１１と、第２の吐水口１２と、貯水部１３と、を有する。
【００８５】
貯水部１３は、例えば、円筒状であり、内部の空間に供給された除菌水を一時的に溜めることができる。第１の吐水口１１および第２の吐水口１２は、貯水部１３の側面に設けられている。第１の吐水口１１は、第２の吐水口１２の上方に設けられている。
【００８６】
貯水部１３内の除菌水が溜まる空間は、第１の吐水口１１および第２の吐水口１２を介して、外部と連通している。これにより、第１の吐水口１１および第２の吐水口１２は、貯水部１３に溜まった除菌水を洗い場床上に吐水する。例えば、第１の吐水口１１および第２の吐水口１２は、同時に除菌水を吐水する。貯水部１３を設けることによって、洗浄水を一時的に貯留し、吐水圧力を上昇させることができる。
【００８７】
図８（ａ）および図８（ｂ）は、本実施形態の吐水部から除菌水が吐水された状態を例示する模式的側面図である。図８（ｂ）は、図８（ａ）の吐水部１０の近傍を拡大して表している。
【００８８】
第１の吐水口１１は、第２の吐水口１２よりも上方に向けて設けられている。例えば、第１の吐水口１１は、水平方向よりも上向きであり、第２の吐水口１２は、水平方向よりも下向きである。これにより、第１の吐水口１１から吐水された除菌水は、第２の吐水口１２から吐水された除菌水よりも、吐水部１０から遠い領域まで届く。第１の吐水口１１は、洗い場床５２０のうち吐水部１０から遠い範囲を受け持つ遠方用吐水口である。第２の吐水口１２は、洗い場床５２０のうち吐水部１０から近い範囲を受け持つ近傍用吐水口である。
【００８９】
上方から見たときに、第１の吐水口１１の最大吐水距離（障害物が無いときに吐水部１０から吐水された除菌水が届く位置と吐水部１０との間の最長距離；射程）は、吐水部１０と壁面５４０との間の最長距離よりも長い。
【００９０】
また、この例では、第２の吐水口１２から除菌水が吐水される方向は、上方から見たときに、第１の吐水口１１から除菌水が吐水される方向に沿った方向である。例えば、第１の吐水口１１の吐水方向は、第２の吐水口１２の吐水方向と実質的に同じである。
【００９１】
第１の吐水口１１および第２の吐水口１２の径は、小さいため、除菌水は、例えば霧状（ミスト）となって吐水される。このような霧状の除菌水は、洗い場床上に滞留しやすい。滞留性の高い形態で除菌水を吐水することによって、除菌水が洗い場床上の菌に作用する時間を確保することができる。これにより、より少ない量の除菌水で、洗い場床を除菌することができる。
【００９２】
図７（ａ）に表したように、吐水部１０には、第１の吐水口１１の近傍に上下方向に沿った溝１１ｇが設けられている。この溝１１ｇによって、第１の吐水口１１から除菌水が吐水される方向が制御される。同様に、第２の吐水口１２近傍に設けられた上下方向に沿った溝１２ｇによって、第２の吐水口１２から除菌水が吐水される方向が制御される。これにより、図８（ｂ）に表したように、除菌水は、第１の吐水口１１および第２の吐水口１２から上下方向に広がって、吐水される。
【００９３】
図９（ａ）および図９（ｂ）は、本実施形態の吐水部の回転を説明する模式図である。  図９（ａ）は、吐水部１０が設けられたカウンタ５３０と、洗い場床５２０と、を上方から見た模式的平面図である。図９（ｂ）は、図９（ａ）の吐水部１０の近傍を拡大して表した模式的平面図である。
【００９４】
吐水部１０は、軸１０ｘを中心として回転することができる。軸１０ｘは、鉛直方向に延びる回転軸である。軸１０ｘは、上方から見たときに吐水部１０の略中央に位置する。軸１０ｘが延びる方向は、完全な鉛直方向から傾いていてもよい。例えば、軸１０ｘが延びる方向の鉛直方向成分は、軸１０ｘが延びる方向の水平方向成分よりも大きければよい。
【００９５】
吐水部１０は、回転の原点１０ｓ（回転の開始位置）から回転の終了位置１０ｅまで回転することができる。吐水部１０が回転した角度によって、第１の吐水口１１および第２の吐水口１２から吐水される除菌水の吐水方向が変化する。吐水部１０が回転しながら除菌水を吐水することにより、洗い場床５２０の全体に除菌水が吐水される。
【００９６】
本実施形態に係る吐水装置１００は、吐水部１０が回転するときの基準となる位置（以下、説明の便宜上「回転基準」という）と、洗い場床５２０と、の相対的な配置を規定する回転基準規定手段１５をさらに備える。例えば、原点１０ｓを回転基準とすることができる。回転基準規定手段１５は、回転基準が洗い場床５２０に対して所定の角度となるように規定する手段である。
【００９７】
例えば、図９（ｂ）に表したように、吐水装置１００には、回転基準部１０ｐと、回転基準規定部５３４と、が設けられている。また、吐水部１０には、突起部１０ｑが設けられている。回転基準規定手段１５として、回転基準部１０ｐと回転基準規定部５３４とを用いることができる。
【００９８】
回転基準規定部５３４は、カウンタ５３０に対して、直接的または間接的に位置が固定された部材である。回転基準規定部５３４は、カウンタ５３０に設けられている。回転基準規定部５３４は、例えば、カウンタ５３０の支持材５３３に取り付けられている。なお、回転基準規定部５３４は、カウンタ５３０とは別の部材であってもよいし、カウンタ５３０と一体に成形されていてもよい。
【００９９】
回転基準部１０ｐは、回転基準規定部５３４に対して、直接的または間接的に位置が固定された部材である。例えば、回転基準部１０ｐは、回転基準規定部５３４に取り付けられている。これにより、回転基準部１０ｐは、カウンタ５３０に対して相対的に固定されている。
【０１００】
突起部１０ｑは、吐水部１０の側面に設けられた部材であり、第１の吐水口１１および第２の吐水口１２の回転とともに回転する。吐水部１０が回転した際に、突起部１０ｑは、回転基準部１０ｐに突き当たるように配置されている。このように、回転基準部１０ｐおよび突起部１０ｑによって、吐水部１０の回転が規制される。これにより、回転基準部１０ｐの位置を回転基準とすることができる。そして、回転基準規定部５３４によって、回転基準とカウンタ５３０との相対的配置が規定される。  
なお、回転基準部１０ｐは、カウンタ５３０の一部であってもよく、カウンタ５３０と一体に成形されていてもよい。この場合、回転基準部１０ｐは、回転基準規定部５３４を兼ねている。
【０１０１】
例えば、吐水部を浴室のカウンタに取り付ける際に、吐水部の回転基準が所定の位置からずれてしまうおそれがある。吐水部の回転角度によって除菌水の撒き方を変化させるにあたって、吐水部の回転基準がずれると、部位に応じた最適な除菌水の撒き方ができなくなるおそれがある。これに対して、実施形態においては、上記のような回転基準規定手段１５を設けている。この回転基準規定手段１５によって、洗い場床５２０に対して吐水部１０の回転基準を合わせることができる。このため、回転基準が所定の位置からずれた状態で、吐水部１０がカウンタに取り付けられることを防止することができる。これにより、確実に洗い場床の部位に応じた最適な吐水を行うことができる。
【０１０２】
一般的に、カウンタは、カウンタの横方向の中央と、洗い場床の短辺の横方向の中央と、が一致するように、浴室に取り付けられる。すなわち、カウンタと洗い場床との相対的配置は、あらかじめ規定されている。そこで、本実施形態においては、吐水部１０の位置を、カウンタ５３０に対して規定する。具体的には、カウンタ５３０との相対的な配置が規定された回転基準部１０ｐと回転基準規定部５３４とが設けられる。これにより、カウンタ５３０を介して、回転基準と洗い場床５２０との相対的な配置を規定することができる。これにより、洗い場床の各部位に応じて確実に最適な吐水を行うことができる。
【０１０３】
カウンタの種類によって吐水部１０がカウンタに取り付けられる位置が変わったとしても、カウンタの中心と吐水部１０が取り付けられる位置との関係を考慮して、カウンタに回転基準規定部５３４を形成すれば、洗い場床に対応した回転基準を規定することができる。これにより、吐水部１０の取付位置が互いに異なる多種のカウンタに対しても、洗い場床５２０の各部位に応じた最適な吐水を行うことができる。
【０１０４】
次に、洗い場床５２０を除菌する際の吐水装置１００の動作の例について説明する。
【０１０５】
図１０は、本実施形態に係る吐水装置の動作を例示するフローチャートである。  
図１１は、本実施形態の吐水部の動作を例示する模式的平面図である。  
図１１は、吐水装置１００を用いた除菌方法の各工程における、吐水部１０の回転動作を表している。  
図１０に表したように、まず、吐水装置１００のスイッチがＯＦＦの状態では、電磁弁５４ｂは、閉じており、電解槽（除菌水生成部２０）およびモータ１７は、ＯＦＦ状態である。
【０１０６】
ここで、例えば、使用者によって吐水装置１００のスイッチがＯＮにされると、制御部３０に、洗い場除菌モード（後述の除菌水吐水工程）の実行指令が送信される。このとき、制御部３０は、洗い場除菌モードを実行する前に、まず原点出しモードＳ０１を実行する。
【０１０７】
原点出しモードＳ０１において、制御部３０は、回転基準規定手段１５を用いて吐水部１０の回転の原点出しを行う。ここで、「原点出し」とは、吐水部１０の位置（向き）を回転基準に対応させる動作をいう。具体的には、制御部３０は、モータ１７をＯＮ（動作状態）とし、図１１の矢印Ａ０１に表した方向に吐水部１０を回転させる。
【０１０８】
図１２（ａ）および図１２（ｂ）は、本実施形態における原点出しを説明する模式的平面図である。図１２（ａ）および図１２（ｂ）は、吐水部１０の動作を表している。  
図１２（ａ）に表したように、原点１０ｓから終了位置１０ｅまでの角度（最大回転角度θ１）は、例えば３００°程度である。原点出しモードＳ０１において、制御部３０は、モータ１７に最大回転角度θ１回転するように信号を送る。
【０１０９】
図１２（ｂ）に表したように、例えば、吐水装置１００のスイッチがＯＮにされたときに、吐水部１０が原点１０ｓから回転した角度がθ２であったとする。このとき、吐水部１０は、まず角度θ２だけ回転する。これにより、吐水部１０の突起部１０ｑが回転基準部１０ｐに突き当たる。さらに、この状態でモータ１７は、最大回転角度θ１と角度θ２との差（角度θ３）だけ空転する。これにより、吐水部１０の向きが、確実に原点１０ｓ（回転基準）に合わせられる。
【０１１０】
次に、制御部３０は、第１除菌水吐水工程Ｓ０２を実行する。第１除菌水吐水工程Ｓ０２においては、電磁弁５４ｂが開かれ、水道水が電解槽に供給される。そして電解槽は、ＯＮ状態とされ、水道水を変性して除菌水を生成する。生成された除菌水は、吐水部１０から洗い場床５２０に吐水される。このとき、制御部３０は、モータ１７をＯＮとし、図１１の矢印Ａ０２に表したように吐水部１０を原点１０ｓから終了位置１０ｅまで回転させる。吐水部１０は、回転しながら除菌水を洗い場床５２０上に吐水する。
【０１１１】
なお、図１１に表した各矢印において、破線で表した方向に吐水部１０が回転するときは、吐水部１０が除菌水を吐水しないことを表す。また、実線で表した方向に吐水部１０が回転するときは、吐水部１０が除菌水を吐水することを表す。
【０１１２】
次に、止水工程Ｓ０３が実行される。止水工程Ｓ０３においては、電磁弁５４ｂは閉じられ、電解槽はＯＦＦ（停止状態）とされる。また、モータ１７もＯＦＦ（停止状態）とされる。
【０１１３】
次に、制御部３０は、原点出しモードＳ０４を実行する。原点出しモードＳ０４において、制御部３０は、吐水部１０の原点出しを行う。制御部３０は、モータ１７をＯＮとして、図１１の矢印Ａ０４に表したように、吐水部１０を終了位置１０ｅから原点１０ｓまで回転させる。このとき、吐水部１０は、除菌水を吐水しない。
【０１１４】
その後、制御部３０は、第２除菌水吐水工程Ｓ０５を実行する。第２除菌水吐水工程Ｓ０５において、電磁弁５４ｂが開かれ、電解槽がＯＮとされる。制御部３０は、モータ１７によって吐水部１０を回転させる。吐水部１０は、図１１の矢印Ａ０５に表したように原点１０ｓから終了位置１０ｅまで回転しながら、除菌水を吐水する。第２除菌水吐水工程Ｓ０５における除菌水の吐水方法は、第１除菌水吐水工程Ｓ０２と異なっていてもよい。例えば、第２除菌水吐水工程Ｓ０５において吐水される除菌水の成分や濃度は、第１除菌水吐水工程Ｓ０２において吐水される除菌水の成分や濃度と異なっていても良い。
【０１１５】
次に、除菌水吐水完了工程Ｓ０６が実行される。除菌水吐水完了工程Ｓ０６においては、電磁弁５４ｂが閉じられ、電解槽がＯＦＦとされ、モータ１７がＯＦＦとされる。
【０１１６】
次に、制御部３０は、残留水排出モードＳ０７を実行する。残留水排出モードＳ０７では、吐水部１０内の除菌水の流路に残留した除菌水の少なくとも一部を排出する。例えば、貯水部１３から第１の吐水口１１までの流路または貯水部１３から第２の吐水口１２までの流路に残留した除菌水が排出される。具体的には、制御部３０は、モータ１７を制御して、吐水部１０を振動させる。吐水部１０は、振動しながら図１１の矢印Ａ０７に表したように、終了位置１０ｅから原点１０ｓまで回転する。
【０１１７】
例えば、吐水装置１００の不使用時に、使用者の体が吐水部１０に当たるなどして、吐水部１０の洗い場床５２０に対する角度がずれる場合がある。このような場合であっても、実施形態によれば、洗い場除菌モードの前に原点出しが行われるため、角度のずれが矯正された状態で除菌水の吐水が開始される。これにより、長期安定的に洗い場床の部位に応じて最適な吐水を行うことができる。
【０１１８】
また、吐水装置を長期間使用すると、吐水部１０の移動抵抗（回転する際の抵抗）が大きくなり、洗い場除菌モードの実行中に、吐水部１０の洗い場床５２０に対する角度が意図した角度からずれる場合がある。また、吐水部１０の周囲に障害物が置かれていた場合などに、吐水部１０が回転した際に、吐水部１０が障害物に当たることがある。このときにも、吐水部１０の洗い場床５２０に対する角度が意図した角度からずれる場合がある。
【０１１９】
これに対して、実施形態においては、第１除菌水吐水工程Ｓ０２と第２除菌水吐水工程Ｓ０５との間において原点出しモードＳ０４を実行する。すなわち、制御部３０は、洗い場除菌モードの途中で、原点出しモードを実行する。これにより、洗い場除菌モードの途中で、吐水部１０の洗い場床５２０に対する角度のずれを修正することができる。このため、吐水部１０の洗い場床５２０に対する角度が大きくずれた状態で、除菌水が吐水されることを防止することができる。これにより、長期安定的に洗い場床５２０の部位に応じて最適な吐水を行うことができる。
【０１２０】
次に、第１除菌水吐水工程Ｓ０２における吐水装置の動作について、図１３〜図１５を参照して、さらに説明する。
【０１２１】
図１３は、本実施形態における吐水装置の動作を説明するタイムチャートである。  図１３では、第１除菌水吐水工程Ｓ０２および原点出しモードＳ０４における動作を示す。  図１３に表したように、第１除菌水吐水工程Ｓ０２においては、吐水部１０から除菌水が吐水され続けている。そして、止水工程Ｓ０３の原点出しモードＳ０４では、吐水部１０から除菌水が吐水されない。
【０１２２】
タイムチャートの「吐水部の回転」において、「１」は、吐水部１０が原点１０ｓから終了位置１０ｅへ向かって回転していること（正転動作）を表し、「０」は、吐水部１０が回転を停止していることを表し、「−１」は、吐水部１０が終了位置１０ｅから原点１０ｓへ向かって回転していること（反転動作）を表す。  
図１３に表したように、吐水部１０は、回転と停止とを繰り返している。第１除菌水吐水工程Ｓ０２において吐水部１０は、断続的に原点１０ｓから終了位置１０ｅへ向かう方向に回転する。原点出しモードＳ０４において吐水部１０は、断続的に終了位置１０ｅから原点１０ｓへ向かう方向に回転する。
【０１２３】
図１４は、本実施形態の吐水部の動作を例示する模式的平面図である。  
領域Ａ１は、吐水部１０が回転を停止したある期間ｔ１において、除菌水が吐水される領域を表す。領域Ａ２は、期間ｔ１の次に吐水部１０が回転を停止した期間ｔ２において、除菌水が吐水される領域を表す。図１４に表したように、領域Ａ２の一部は、領域Ａ１の一部と重なっている。このように、吐水部１０は、原点１０ｓから終了位置１０ｅまで断続的に回転する。
【０１２４】
さらに本実施形態において、吐水装置１００は、洗い場床５２０の部位に応じて、除菌水が吐水される量、および、吐水部１０の回転速度を変化させている。これについて、以下説明する。
【０１２５】
図１５（ａ）および図１５（ｂ）は、本実施形態の吐水部の動作を説明する模式的平面図である。  
図１５（ａ）は、吐水部１０を例示する模式的平面図であり、図１５（ｂ）は、洗い場床５２０を例示する模式的平面図である。
【０１２６】
図１５（ａ）に表したように、この例では、吐水部１０が回転した角度（回転角度）を、互いに異なる５つの範囲Ｄ１〜Ｄ５に分割している。図１５（ｂ）は、範囲Ｄ１〜Ｄ５のそれぞれに対応した、洗い場床５２０の領域Ｒ１〜Ｒ５を表している。
【０１２７】
例えば、回転角度が範囲Ｄ１内にある状態ＳＴ１では、領域Ｒ１に除菌水が吐水される。回転角度が範囲Ｄ２内にある状態ＳＴ２では、領域Ｒ２に除菌水が吐水される。
【０１２８】
状態ＳＴ１における吐水方向に沿った吐水部１０から壁面５４０までの距離は、状態ＳＴ２における吐水方向に沿った吐水部１０から壁面５４０までの距離よりも短い。このとき、図１３に表したように、制御部３０は、状態ＳＴ１において吐水される除菌水の総量が、状態ＳＴ２において吐水される除菌水の総量よりも少なくなるようにする。
【０１２９】
同様にして、回転角度が範囲Ｄ３内にある状態ＳＴ３では、領域Ｒ３に除菌水が吐水される。状態ＳＴ３における吐水方向に沿った吐水部１０から壁面５４０までの距離は、状態ＳＴ２における吐水方向に沿った吐水部１０から壁面５４０までの距離よりも長い。このときには、制御部３０は、状態ＳＴ３において吐水される除菌水の総量を、状態ＳＴ２において吐水される除菌水の総量よりも多くする。
【０１３０】
このように、実施形態においては、吐水部１０と壁面５４０との間の距離が相対的に短い回転角度領域において吐水される除菌水の総量は、吐水部１０と壁面５４０との間の距離が相対的に長い回転角度領域において吐水される除菌水の総量よりも少なくされる。
【０１３１】
回転角度が範囲Ｄ４内にある状態ＳＴ４では、領域Ｒ４に除菌水が吐水される。状態ＳＴ４における吐水方向に沿った吐水部１０から壁面５４０までの距離は、状態ＳＴ２における吐水方向に沿った吐水部１０から壁面５４０までの距離と、同じである。また、領域Ｒ４と排水口５２１との間の距離は、領域Ｒ２と排水口５２１との間の距離よりも長い。すなわち、領域Ｒ４は、領域Ｒ２よりも洗い場床５２０の上流側に位置する。この場合には、制御部３０は、状態ＳＴ２において吐水される除菌水の総量が、状態ＳＴ４において吐水される除菌水の総量よりも少なくなるようにする。
【０１３２】
このように、吐水部１０と壁面５４０との間の距離が同じ場合においては、洗い場床５２０の排水勾配の下流側に吐水される除菌水の量は、洗い場床５２０の排水勾配の上流側に吐水される除菌水の量よりも少なくされる。
【０１３３】
例えば、吐水部１０から吐水される除菌水の瞬間流量は、一定とされる。そして、制御部３０は、吐水方向に沿った吐水部１０から壁面５４０までの距離に応じて、吐水部１０の平均回転速度を変化させる。これにより、洗い場床の部位に応じて、吐水される除菌水の総量を変化させることができる。例えば、状態ＳＴ１における吐水部１０の平均回転速度は、状態ＳＴ３における吐水部１０の平均回転速度よりも高い。これにより、状態ＳＴ１において吐水される除菌水の総量は、状態ＳＴ３において吐水される除菌水の総量よりも少なくなる。
【０１３４】
図１３に表したように、吐水部１０が回転と停止とを繰り返す場合、吐水部１０が停止する時間の長さを変化させることで、平均回転速度を変化させることができる。例えば、吐水部１０が一度に回転する角度および時間を一定とし、回転動作が行われる時間的な周期を変化させることで平均回転速度を変化させることができる。例えば、状態ＳＴ１における回転動作の周期は、状態ＳＴ３における回転動作の周期よりも短い。
【０１３５】
なお、タイムチャートにおいて「吐水状態」は、回転角度の各範囲において除菌水が吐水される方向を模式的平面図で表している。また、平面図中の矢印は、吐水部１０から吐水された除菌水のうち、壁面５４０に当たってから洗い場床５２０上に流れる除菌水の流れを表している。矢印の向きは、除菌水の流れる方向を模式的に表し、矢印の大きさは、除菌水の量を模式的に表している。また、タイムチャートにおいて「床面状態」は、各状態において洗い場床５２０上に存在する除菌水の量をグレースケールで表している。このグレースケールは、色が濃い（黒に近い）ほど除菌水の量が多いことを表す。
【０１３６】
既に述べたとおり、吐水部１０が除菌水を吐水する最大吐水距離は、吐水部１０と壁面５４０との間の最大距離よりも長い。このような吐水部１０を回転させることで、洗い場床５２０の全体に除菌水を吐水することが可能となり、洗い場床の全体を除菌することができる。
【０１３７】
しかしながら、吐水部１０を回転させると、吐水方向に沿った吐水部１０と壁面５４０との間の距離が変化する。このような状態において、全方向に同じように吐水を行うと、吐水方向に沿った吐水部１０と壁面５４０との間の距離の変化に起因して、洗い場床５２０上では除菌水が過剰に吐水される領域が発生してしまう。このため、大量の除菌水が必要となってしまう。
【０１３８】
一方、吐水部１０から洗い場床５２０上に直接届く除菌水だけでなく、壁面５４０に当たった後に洗い場床５２０上を流れる除菌水も除菌効果を有している。そこで、このような壁面５４０に当たって流れる除菌水も利用して除菌を行うことで、少量の除菌水で洗い場床５２０の全体を除菌することができる。
【０１３９】
例えば、状態ＳＴ１のように、吐水方向に沿った吐水部１０と壁面５４０との間の距離が短い場合には、吐水部１０から吐水されて壁面５４０に当たってから洗い場床５２０上に流れる除菌水の量が比較的多い。このため、状態ＳＴ１において吐水される除菌水の総量を少なくしても、単位面積あたりに供給される除菌水の総量を維持することができる。状態ＳＴ１において吐水される除菌水の総量を少なくしても、除菌効果を得ることができる。
【０１４０】
したがって、実施形態によれば、除菌水の吐水方向に沿った吐水部１０から壁面５４０までの距離が短いときに、必要以上の除菌水が吐水されることを防ぐことができる。これにより、洗い場床５２０の全体に吐水される除菌水の総量を少なくすることができる。
【０１４１】
さらに、実施形態においては、除菌水の吐水方向に沿った吐水部１０から壁面５４０までの距離が同じときには、洗い場床５２０の上流側に吐水される除菌水の量を、洗い場床５２０の下流側に吐水される除菌水の量よりも少なくしている。洗い場床５２０の上流側に吐水された除菌水は、洗い場床５２０の下流側に流れる。このため、洗い場床５２０の上流側に吐水された除菌水を利用して、洗い場床５２０の下流側も除菌することが可能である。これにより、洗い場床５２０の下流側に吐水される除菌水の量を少なくしても、洗い場床５２０の全体を除菌することができる。
【０１４２】
また、洗い場床５２０上の部位に応じて吐水される除菌水の量を変化させる際に、除菌水の瞬間流量を変化させる方法が考えられる。吐水部１０から吐水される除菌水の瞬間流量は、除菌水生成部２０における瞬間流量に依存する。しかし、除菌水生成部２０における瞬間流量を変化させると、除菌水生成部２０において生成される除菌水の成分の濃度が変化してしまう。これに対して、実施形態においては、除菌水の瞬間流量を一定として、吐水部１０の平均回転速度を変化させている。これにより、除菌水の濃度を一定の状態として、洗い場床５２０の所定の範囲に吐水される除菌水の総量を変化させることができる。
【０１４３】
吐水部１０の平均回転速度を変化させる際に、回転速度を早くしすぎると、トルクが不足して回転に不具合が生じる場合がある。これに対して、実施形態においては、制御部３０は、吐水部１０が過程する状態と、吐水部１０が回転を停止する状態と、を切り替える。そして、吐水部１０が回転を停止する時間の長さを変化させることで、平均回転速度を変化させている。これにより、トルク不足などの不具合を防止することができる。
【０１４４】
次に、残留水排出モードＳ０７における吐水装置１００の動作について、図１６および図１７を参照して、さらに説明する。
【０１４５】
図１６は、本実施形態における吐水装置の動作を例示するフローチャートである。図１７は、本実施形態における吐水装置の動作を説明するタイムチャートである。
【０１４６】
図１６および図１７に表したように、残留水排出モードＳ０７は、第１振動工程Ｓ１７と、第１の振動工程Ｓ１７の後に実行される第２振動工程Ｓ２７と、を有する。
【０１４７】
図１７に表したように、第１の振動工程Ｓ１７においては、吐水部１０は、回転と停止とを繰り返す。吐水部１０は、終了位置１０ｅから原点１０ｓまで断続的に回転する。これにより、吐水部１０が振動する。この振動によって、吐水部１０内に残留した除菌水の表面張力を低減（破壊）することができる。これにより、吐水部１０内の流路に残留した除菌水が排出される。
【０１４８】
このような残留水排出モードＳ０７は、洗い場除菌モード（第２除菌水吐水工程Ｓ０５）が実行された直後に実行される。洗い場除菌モードが実行された直後には、洗い場床上には、除菌水によって水膜が形成されている。このため、残留水排出モードＳ０７において排出された除菌水は、水膜の上に落下する。
【０１４９】
洗い場床５２０上に吐水された除菌水が少量である場合には、除菌水は水玉状の残留水となり、排水口まで流れにくい。一方、除菌水が膜状である場合には、除菌水は、洗い場床５２０の排水勾配に沿って排水口まで流れやすい。
【０１５０】
実施形態においては、吐水部から排出された除菌水を、水膜の上に落下させている。これにより、吐水部から排出された除菌水を、水膜を形成している除菌水とともに排水口に流すことができる。したがって、除菌水を滞留性の高い吐水形態で吐水するために吐水口の径を小さくした場合であっても、吐水装置の運転終了から長時間が経過した後に、残留水が洗い場床上に発生することを防止することができる。
【０１５１】
さらに、第１の振動工程Ｓ１７においては、吐水部１０を、終了位置１０ｅから原点１０ｓまで回転させている。すなわち、吐水部１０内に残留した除菌水が落下する位置を変化させながら、吐水部１０を振動させている。これにより、除菌水が洗い場床５２０上に落下する領域の平面積を大きくすることができる。このため、吐水部１０から落下した除菌水と、洗い場床５２０上の膜状の除菌水と、が接触する可能性を高めることができる。これにより、吐水部１０から排出された除菌水を、より確実に、水膜を形成している除菌水とともに排水口に導くことができる。
【０１５２】
第２の振動工程Ｓ２７において、制御部３０は、第１の振動工程Ｓ１７において吐水部１０に生じる振動とは異なる振動を吐水部１０に生じさせる。
【０１５３】
振動が異なることによって、第１の振動工程Ｓ１７では排出できなかった除菌水を、第２の振動工程Ｓ２７において排出することができる。これにより、吐水部１０内に残留した除菌水の量をより少なくすることができる。
【０１５４】
例えば、第２の振動工程Ｓ２７において、制御部３０は、吐水口（第１の吐水口１１および第２の吐水口１２）の位置を、複数の方向に移動させる。すなわち、図１７に表したように、正転動作と反転動作とを交互に繰り返す。
【０１５５】
第２の振動工程では、このような正転動作と反転動作との繰り返しを、突起部１０ｑが回転基準部１０ｐに突き当たってから行う。このため、第２の振動工程において、吐水口が移動する範囲は、第１の振動工程において吐水口が移動する範囲よりも狭い。そして、正転動作と反転動作とを繰り返す度に、突起部１０ｑが回転基準部１０ｐに突き当たる。このため、第２振動工程において第１振動工程よりも強い揺れが吐水口に生じる。これにより、吐水部内に残留した除菌水の量をさらに少なくすることができる。
【０１５６】
また、実施形態において、制御部３０は、図５に関する説明と同様に吐水部１０が水道水を洗い場床５２０上に吐水する制御を実行した後に、除菌水生成部２０にて生成された除菌水を吐水部１０から洗い場床５２０上に吐水する制御を行ってもよい。洗い場床５２０上に付着した汚れを水道水で洗い流した後に、洗い場床５２０上に除菌水を吐水することにより、除菌水を効果的に利用することができる。
【０１５７】
次に、本発明の他の実施形態について、図面を参照しつつ説明する。  
図１８（ａ）および図１８（ｂ）は、本発明の他の実施の形態に係る吐水装置を例示する模式的平面図である。
【０１５８】
図１８（ａ）は、吐水部１０が設けられたカウンタ５３０ａと、洗い場床５２０と、を上方から見た模式的平面図である。図１８（ｂ）は、図１８（ａ）の吐水部１０の近傍を拡大して表した模式的平面図である。
【０１５９】
この例では、吐水部１０が設けられたカウンタ５３０ａの形状が、前述のカウンタ５３０の形状と異なる。これに伴い、洗い場床５２０と吐水部１０との相対的な配置が、例えば図９に表した例とは、異なる。
【０１６０】
回転基準規定手段１５である回転基準規定部５３４は、カウンタ５３０ａの横方向の端部に位置する支持材５３３に取り付けられている。このため、吐水部１０は、カウンタ５３０ａの横方向における中央付近ではなく、端部に位置する。
【０１６１】
すなわち、この例では吐水部１０は、洗い場床５２０の横方向における中央付近ではなく、洗い場床５２０の横方向における端部に設けられている。これ以外については、図１８に表した吐水装置は、図７〜図１７において説明した吐水装置１００と同様である。
【０１６２】
既に述べたように、このように吐水部１０がカウンタに取り付けられる位置が変わっても、カウンタの中心と吐水部１０が取付られる位置との関係を考慮して、カウンタに回転基準規定部５３４を形成すれば、洗い場床に対応した回転基準を規定することができる。これにより、洗い場床５２０の各部位に応じた最適な吐水を行うことができる。
【０１６３】
この場合でも、図１８（ａ）に表したように、吐水方向に沿った吐水部１０から壁面５４０までの距離に応じて、吐水部１０の平均回転速度を変化させる。これにより、洗い場床５２０の部位に応じて、吐水される除菌水の総量を変化させることができる。このようにして、洗い場床５２０の各部位に応じた最適な吐水を行うことができる。
【０１６４】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、吐水部１０、除菌水生成部２０および制御部３０などが備える各要素の形状、寸法、材質、配置などや吐水部１０、除菌水生成部２０および制御部３０の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【０１６５】
１０、１０ａ 吐水部、  １０ｅ 終了位置、  １０ｐ 回転基準部、  １０ｑ 突起部、  １０ｓ 原点、  １０ｘ 回転軸、  １１、１１ａ 第１の吐水口、  １１ｇ 溝、  １２、１２ａ 第２の吐水口、  １２ｇ 溝、  １３ 貯水部、  １４ａ 第１の貯水部、  １４ｂ 第２の貯水部、  １５ 回転基準規定手段、  １７ モータ、  ２０ 除菌水生成部、  ３０ 制御部、  ３５ 操作部、  ５１ 給水管、  ５２ 給湯管、  ５３ａ、５３ｂ ストレーナ、  ５４ａ、５４ｂ 電磁弁、  ５５ 調圧弁、  ５６ 逆止弁、  ５７ バキュームブレーカ、  θ１ 最大回転角度、  θ２、θ３ 角度、  １００ 吐水装置、  ５００ 浴室、  ５１０ 浴槽、  ５２０ 洗い場床、  ５２１ 排水口、  ５３０、５３０ａ カウンタ、  ５３１ 天板、  ５３２ 下カバー、  ５３３ 支持材、  ５３４ 回転基準規定部、  ５４０ 壁面、  ５４１〜５４４ 第１〜第４の壁、  Ｄ１〜Ｄ５ 回転角度の範囲（位置変動範囲）、Ｄｅ１〜Ｄｅ４、Ｄｇ１〜Ｄｇ３、Ｄｈ１〜Ｄｈ３ 範囲（位置変動範囲）、  Ｒ１〜Ｒ５、Ｒｅ１〜Ｒｅ４、Ｒｇ１〜Ｒｇ３ 洗い場床の領域、  Ｓ０１ 原点出しモード、  Ｓ０２ 第１除菌水吐水工程、  Ｓ０３ 止水工程、  Ｓ０４ 原点出しのモード、  Ｓ０５ 第２除菌水吐水工程、  Ｓ０６ 除菌水吐水完了工程、  Ｓ０７ 残留水排出モード、  Ｓ１７ 第１の振動工程、  Ｓ２７ 第２の振動工程、  ＳＴ１〜ＳＴ４ 状態
【図１】
0006738526.tif 000002
【図２】
0006738526.tif 000003
【図３】
0006738526.tif 000004
【図４】
0006738526.tif 000005
【図５】
0006738526.tif 000006
【図６】
0006738526.tif 000007
【図７】
0006738526.tif 000008
【図８】
0006738526.tif 000009
【図９】
0006738526.tif 000010
【図１０】
0006738526.tif 000011
【図１１】
0006738526.tif 000012
【図１２】
0006738526.tif 000013
【図１３】
0006738526.tif 000014
【図１４】
0006738526.tif 000015
【図１５】
0006738526.tif 000016
【図１６】
0006738526.tif 000017
【図１７】
0006738526.tif 000018
【図１８】
0006738526.tif 000019